(57)【要約】【課題】センサ機器の機能を活かしたまま当該センサ機器に表示機能を付加するに好適なセンサ機器の表示装置を提供する。【解決手段】センサ機器の蓋と交換して用いられるものであって、センサ素子を備えたセンサ機器本体に装着されて該センサ機器本体に組み込まれている前記センサ素子による計測データ出力用の中継端子台を覆って設けられる蓋体と、この蓋体に設けられて該蓋体の表面側から前記センサ素子による計測データを視認可能に表示する液晶ディスプレイ等の表示器と、前記蓋体の裏面側に設けられ、該蓋体が前記センサ機器本体に装着されたときに前記中継端子台の所定の端子にそれぞれ当接して前記センサ素子を前記表示器に電気的に接続する複数の接触子とを備える。【選択図】      図２
2004226113.tif 000002
【特許請求の範囲】
【請求項１】
センサ素子を備えたセンサ機器本体に装着されて、該センサ機器本体に組み込まれている前記センサ素子による計測データ出力用の中継端子台を覆って設けられる蓋体と、
この蓋体に設けられて該蓋体の表面側から前記センサ素子による計測データを視認可能に表示する表示器と、
前記蓋体の裏面側に設けられ、該蓋体が前記センサ機器本体に装着されたときに前記中継端子台の所定の端子にそれぞれ当接して前記センサ素子を前記表示器に電気的に接続する複数の接触子と
を具備したことを特徴とするセンサ機器の表示装置。
【請求項２】
前記中継端子台は、前記センサ素子による計測データ出力用の端子と、外部電源供給用の端子とを含み、
前記複数の接触子は、前記センサ素子の外部接続用の端子に当接して前記センサ素子の計測データを取り出すセンサ用接触子と、前記外部電源供給用の端子に当接して前記表示器の駆動電源を得る電源用接触子とからなる請求項１に記載のセンサ機器の表示装置。
【請求項３】
前記蓋体は、前記センサ機器本体が備える標準仕様の蓋に替えて該センサ機器本体に装着されるものである請求項１に記載のセンサ機器の表示装置。
【発明の詳細な説明】
【０００１】
【発明の属する技術分野】
本発明は、センサ機器が備えたセンサ素子により計測されるデータを、当該センサ機器の設置場所にて確認するに好適なセンサ機器の表示装置に関する。
【０００２】
【関連する背景技術】
空調設備や各種プラントには、温度や湿度、更には流体流量等を計測する為の各種のセンサが設けられる。この種のセンサは、専ら、センサ素子を備えたセンサ機器本体に上記センサ素子により計測されたデータを外部出力する為の中継端子を備えて構成される。そして所定の管理装置への計測データの出力は、上記中継端子に接続された信号ケーブルを介して行われるようになっている。
【０００３】
ところでセンサ機器をメンテナンスする場合等、上述したセンサ素子にて計測されるデータを、そのセンサ機器が設置された場所にて確認（モニタ）したいことが多々ある。このような場合には、一般的には携帯型の表示装置を用い、その入力端子（プローブ）をセンサ機器に組み込まれている中継端子に直接接続することでセンサ素子による計測データを表示させている。しかしながらこのような作業を行うには、その都度、センサ機器の蓋を開けてその内部に組み込まれている中継端子を露出させる必要があり、非常に煩わしい。
【０００４】
この点、家庭用のガスメータ（流量計）等に代表されるように、予めセンサ機器自体に表示装置を組み込んだものもある。また本出願人は、先にセンサ素子を備えたセンサ機器本体の蓋に表示器を組み込んだ構造の流量計を提唱した（例えば特許文献１参照）。
【０００５】
【特許文献１】
特開平１１−２３０８０３号公報
【０００６】
【発明が解決しようとする課題】
しかしながら予めリモートセンシング用のセンサ機器の全てに表示器を組み込んでおくことは無駄が多く、コスト高の要因となる。しかもセンサ機器の蓋に表示器を組み込むような場合には、例えば表示器とセンサ素子とをコネクタを介して着脱自在に接続する等の工夫が必要となり、その構造が複雑化することが否めない。また既に設置されているセンサ機器に表示器を後付けする場合には、一般的には、当該センサ機器の電源を落としてその設備工事を行う必要がある。これ故、一時的ではあるが、当該センサ機器の機能が損なわれることになる。
【０００７】
本発明はこのような事情を考慮してなされたもので、その目的は、センサ機器の機能を活かしたまま当該センサ機器に表示機能を付加するに好適なセンサ機器の表示装置を提供することにある。
【０００８】
【課題を解決するための手段】
上述した目的を達成するべく本発明に係るセンサ機器の表示装置は、センサ機器の蓋と交換して用いられるものであって、
センサ素子を備えたセンサ機器本体に装着されて、該センサ機器本体に組み込まれている前記センサ素子による計測データ出力用の中継端子台を覆って設けられる蓋体と、
この蓋体に設けられて該蓋体の表面側から前記センサ素子による計測データを視認可能に表示する液晶ディスプレイ等の表示器と、
前記蓋体の裏面側に設けられ、該蓋体が前記センサ機器本体に装着されたときに前記中継端子台の所定の端子にそれぞれ当接して前記センサ素子を前記表示器に電気的に接続する複数の接触子と
を具備したことを特徴としている。
【０００９】
即ち、本発明に係るセンサ機器の表示装置は、センサ機器が備える標準仕様の蓋と交換して用いられる蓋体に表示器を組み込むと共に、この蓋体の裏面側に前記中継端子台の所定の端子にそれぞれ当接して前記センサ素子を前記表示器に電気的に接続する複数の接触子を設けた構造を有するものであって、センサ機器の蓋に替えてセンサ機器本体に装着するだけで、センサ機器の電源をオフにすることなくその取り付けを行い得るようにしたものである。
【００１０】
ちなみに前記センサ機器の中継端子台が前記センサ素子による計測データ出力用の端子と外部電源供給用の端子とを含むとき、前記複数の接触子として前記センサ素子の外部接続用の端子に当接して前記センサ素子の計測データを取り出すセンサ用接触子と、前記外部電源供給用の端子に当接して前記表示器の駆動電源を得る電源用接触子とを設け、表示装置としては前記センサ機器に供給される外部電源を用いて作動するように構成することが望ましい。しかし前記中継端子台が外部電源供給用の端子を備えていないような場合には、前記蓋体に駆動源としての電池を内蔵するようにしても良い。
【００１１】
【発明の実施の形態】
以下、図面を参照して本発明の一実施形態に係るセンサ機器の表示装置について説明する。
図１は本発明の概要を示すもので、１０はセンサ機器、２０は本発明に係る表示装置である。図１に示すセンサ機器１０は、空調ダクト（図示せず）に取り付けられて温度や湿度を計測する挿入型のものであって、蓋１１を着脱自在に備えた箱形のセンサ機器本体１２と、このセンサ機器本体１２の裏面側に垂直に突設された棒状のセンサユニット１３とを備える。このセンサユニット１３は、そのの先端部に温度センサや湿度センサ等のセンサ素子（図示せず）を内蔵したものである。そして本発明に係る表示装置２０は、上記センサ機器１０の蓋１１に替えてセンタ機器本体１２に装着されて用いられ、センサ素子にて計測されたデータを表示する役割を担う。
【００１２】
より具体的には前記センサ機器本体１２は、合成樹脂（プラスチック）製の箱体からなり、箱の底部をなす背面板の裏面側にセンサユニット１３を突設している。そして箱体の前面開口部に平板状の蓋１１を着脱自在に嵌め込み、その内部を閉塞する構造を有している。ちなみにセンサ機器本体１２は、前記センサ素子の種類等に応じてその駆動回路や計測回路（図示せず）を組み込んでだものであって、更にこのセンサ機器本体１２には、図２に例示するような中継端子台１４が組み込まれている。この中継端子台１４は、前記センサ素子による計測データを外部出力したり、上述した駆動回路や計測回路への駆動電源を外部から入力する為のもので複数の接続端子１５を備える。このような中継端子台１４の各接続端子１５に、前記センサ機器本体１２の内部に引き込まれた信号ケーブル１６をそれぞれ接続することで、前記駆動回路や計測回路への電源供給と計測データの取り出しが行われる。
【００１３】
このようなセンサ機器１０が備える標準仕様の蓋１１に替えてセンサ機器本体１２に装着して用いられる表示装置２０は、図１に示すように上記蓋１１と略同一の寸法形状を有する蓋体２１と、この蓋体２１に組み込まれた液晶表示素子等からなる表示器２２とを備える。この表示器２２は、蓋体２１の表面側からその表示データを視認可能なように設けられる。また蓋体２１には、上記表示器２２の駆動回路（図示せず）も同時に組み込まれる。尚、蓋体２１は、センタ機器本体１２に対して予め定められた向きに位置合わせした状態でのみ、センタ機器本体１２の開口部に嵌合して装着される形状を有する。
【００１４】
また図２に表示装置２０をその側面から見た様子を示すように、上記蓋体２１の裏面側には、該蓋体２１をセンサ機器本体１２に装着したとき、前記中継端子台１４の所定の接続端子１５にそれぞれ当接して電気的接続をなす複数の接触子２３が設けられている。これらの接触子２３は、例えば前記センサ素子の外部接続用の接続端子１５ａ，１５ａに当接して前記センサ素子による計測データを取り出す一対のセンサ用接触子２３ａ，２３ａと、前記外部電源供給用の端子１５ｂ，１５ｂに当接して前記表示器２２の駆動電源を得る一対の電源用接触子２３ｂ，２３ｂとからなる。
【００１５】
ちなみにこれらの接触子２３は、例えば図３に接続端子１５との関係を模式的に示すように、蓋体２１をセンサ機器本体１２に装着した状態において、中継端子台１４上に接続端子１５をネジ止めするネジ１６の頭部に圧接されて電気的に接続される導電性の弾性片からなる。特に複数の接触子２３は、中継端子台１４における接続端子１５の配列ピッチに合わせて互いに離反して平行に設けられており、特定の接続端子１５（ネジ１６の頭部）にだけそれぞれ当接するように位置決めされている。
【００１６】
かくして上述した構成の表示装置２０によれば、センサ機器１０の標準仕様の蓋１１を取り外し、この蓋１１に替えて蓋体２１をセンサ機器本体１２に装着するだけで前述した複数の接触子２３が中継端子台１４の所定の接続端子１５にそれぞれ圧接する。すると表示装置２０には、中継端子台１４の所定の端子１５に当接した接触子２３（電源用接触子２３ｂ）を介して表示器２２の作動に必要な電源が供給され、同時に接触子（センサ用接触子２３ａ）を介してセンサ機器１０のセンサ素子により計測された計測データが取り込まれる。この結果、蓋体２１に組み込まれた表示器２２により、センサ素子により計測されたデータの表示が行われることになる。
【００１７】
またセンサ機器本体１２から蓋体２１を取り外せば、これに伴って前記各接触子２３が中継端子台１４の端子１５からそれぞれ離反するので、表示装置２０への外部電源の供給がなくなり、またセンサ素子による計測データの取り込みもなくなる。従って蓋体２１を取り外すだけで、センサ素子による計測データの表示を止めることができる。
【００１８】
しかも上述した構造の表示装置２０によれば、標準仕様の蓋１１に替えてセンサ機器本体１２に装着するだけで良く、わざわざセンサ機器１０の電源をオフにしてその電気的接続作業を行う必要がない。つまりセンサ機器１０の機能を活かしながら、蓋１１に替えてセンサ機器本体１２に装着することができるので、その計測機能が中断する等の不具合がない。従ってセンサ機器１０を用いてリモートセンシングしている場合であっても、その監視システムに不具合を招くことがない等の利点がある。
【００１９】
尚、蓋体２１に外部操作可能な電源スイッチ（図示せず）を設けておき、センサ機器本体１２に蓋体２１を装着した状態のままセンサ素子による計測データの表示をオン／オフし得るように構成することも勿論可能である。また蓋体２１にマイクロコンピュータやメモリを組み込んでおき、例えば計測データを順次記憶しながら、その処理データを表示する機能を持たせておくことも可能である。また中継端子台１４を介して外部電源を得ることができないような場合に、前記蓋体２１に表示器２２の駆動用の、例えばコイン型やボタン型の電池（図示せず）を組み込むようにしておけば良い。
【００２０】
ところでセンサ機器本体１２が、例えば図４にその平面構造を示すように円筒形状を有し、その蓋１１がセンタ機器本体１２の開口部にねじ込んで装着される円盤状の構造を有する場合には、例えば図５に示すように表示装置２０を構成する蓋体２１を円板体として構成すれば良い。この場合にも上記蓋体２１にその表面側から視認可能に表示器２２を組み込むと共に、その裏面側に中継端子台１４の所定の端子１５にそれぞれ当接する複数の接触子２３を設けることは言うまでもない。尚、この場合には、上記円板体からなる蓋体２１をセンサ機器本体１２に対してその向きを一義的に規制して位置合わせするためのガイド２５を設けておくことが好ましい。ガイド２５としては、例えば中継端子台１４の側部を挟み込んで蓋体２１の向きを規制する突起（突出片）や、蓋体２１の向きが違うときには中継端子台１４とぶつかる等して該蓋体１２のセンサ機器本体１２への装着を邪魔する突起等として実現すれば良い。
【００２１】
そしてこのような蓋体２１をセンサ機器本体１２の開口部に位置合わせして嵌め込んだ状態で、蓋体２１の上からリング状の押さえ部材２６を嵌め込み、この押さえ部材２６をセンサ機器本体２１にねじ込むようにする。そしてセンサ機器本体２１と押さえ部材２６との間に蓋体２１を挟み込んで固定するようにすれば良い。
【００２２】
従ってこのような実施形態においても先の実施形態と同様な効果が奏せられ、適宜、センサ機器１０が備える標準仕様の蓋１１に替えて、そのセンタ機器本体１２に装着して用いることができる。従ってセンサ機器１０の設置場所において、その計測データを確認（モニタ）したい場合に非常に有用であり、センサ機器１０のオプション部品として取り扱うことができるので、センサ機器１０自体の価格高を招来することがない等の利点がある。
【００２３】
尚、本発明は上述した実施形態に限定されるものではない。蓋体２１の形状やセンサ機器本体２１への取り付け構造については、センサ機器１０の標準仕様の蓋１１の形状等に準じて定めておけば良い。またここでは空調ダクトに取り付けられる挿入型センサに用いられる表示装置について例示したが、他の構造のセンサ機器に対しても同様に適用することができる。また温度センサや湿度センサのみならず、流量センサやその他の物理量を測定するセンサに対しても同様に適用可能である。その他、本発明はその要旨を逸脱しない範囲で種々変形して実施することができる。
【００２４】
【発明の効果】
以上説明したように本発明によれば、既設のセンサ機器に対して、そのセンサ機能を一時的に中断させることなく容易に取り付けることができ、センサ素子による計測データをその設置現場で確認するに適した表示装置を実現することができる。しかもセンサ機器本体への取り付け作業の容易な簡易な構造の表示装置を実現することができ、その実用的利点が多大である。
【図面の簡単な説明】
【図１】本発明の概要を表すセンサ機器と表示装置との関係を示す図。
【図２】本発明の一実施形態に係る表示装置の構成とセンサ機器との関係を示す図。
【図３】接触子と接続端子との接続関係を模式的に示す図。
【図４】センサ機器の別の構造例を示す図。
【図５】図４に示すセンサ機器に対して適用される本発明の別の実施形態を示す図。
【符号の説明】
１０  センサ機器
１１  標準仕様の蓋
１２  センタ機器本体
１３  センサユニット
１４  中継端子台
２０  表示装置
２１  蓋体
２２  表示器
２３  接触子
２５  ガイド
２６  押さえ部材
【図１】
2004226113.tif 000003
【図２】
2004226113.tif 000004
【図３】
2004226113.tif 000005
【図４】
2004226113.tif 000006
【図５】
2004226113.tif 000007